(57)【要約】【課題】ワンドア・ツーロック方式を採用しながら、セキュリティ性を維持したまま正規の利用者の施錠のための操作手順を簡略化する。【解決手段】動力伝達機構３０１は、互いに垂直方向に並べられた主錠１０１の第１のデッドハブ１０５と補助錠２０１の第２のデッドハブ２０５との間の回転伝達を上下に変位するリンク３０２の直線運動を介して行ない、間欠機構３０３は、動力伝達機構３０１の回転を伝達し、また非伝達にする。つまり、第１のデッドボルト１０６及び第２のデッドボルト２０６が共に解錠位置にある状態から第１のデッドボルト１０６を施錠動作させる第１のデッドハブ１０５の回転を第２のデッドハブ２０５に伝達するとともに、それ以外の第１のデッドボルト１０６及び第２のデッドボルト２０６の状態では、第１のデッドハブ１０５と第２のデッドハブ２０５との間の回転伝達を非伝達とする。【選択図】図１
2011094295.tif 000002
【特許請求の範囲】
【請求項１】
第１のシリンダ錠及び第１のサムターンに連係して回転する第１のデッドハブの回転運動を第１のデッドボルトに伝達して当該第１のデッドボルトを施解錠動作させる主錠と、
前記主錠と垂直方向に並べられ、第２のシリンダ錠及び第２のサムターンに連係して回転する第２のデッドハブの回転運動を第２のデッドボルトに伝達して当該第２のデッドボルトを施解錠動作させる補助錠と、
前記第１のデッドハブと前記第２のデッドハブとの間の回転伝達を上下方向に変位するリンクの直線運動を介して行なう動力伝達機構と、
前記第１及び第２のデッドボルトが共に解錠位置にある状態から前記第１のデッドボルトを施錠動作させる前記第１のデッドハブの回転を前記第２のデッドハブに伝達するとともに、それ以外の前記第１及び第２のデッドボルトの状態では、前記第１のデッドハブと前記第２のデッドハブとの間の回転伝達を非伝達とする間欠機構と、
を備える扉用の施解錠装置。
【請求項２】
前記間欠機構は、
前記リンクの変位方向に接離自在に分離された前記第１のデッドハブの側のリンク部材と前記第２のデッドハブの側のリンク部材とを、前記第１及び第２のデッドボルトが共に解錠位置にある状態から前記第１のデッドボルトを施錠動作させる前記第１のデッドハブの回転と前記第１及び第２のデッドボルトが共に施錠位置にある状態から前記第２のデッドボルトを解錠動作させる前記第２のデッドハブの回転とに際してのみ当接させる第１の間欠動作部と、
前記第１のデッドハブの側のリンク部材が前記リンクの変位方向に更に接離自在に分離されて形成された前記第１のデッドハブの側のサブリンク部材と前記第２のデッドハブの側のサブリンク部材とを、前記第１及び第２のデッドボルトが共に解錠位置にある状態から前記第１のデッドボルトを施錠動作させる前記第１のデッドハブの回転に際しては当接させて前記第１及び第２のデッドボルトが共に施錠位置にある状態から前記第２のデッドボルトを解錠動作させる前記第２のデッドハブの回転に際しては当接させない第２の間欠動作部と、
を備える、請求項１記載の扉用の施解錠装置。
【請求項３】
前記第１の間欠動作部は、前記第１のデッドハブの側のリンク部材と前記第２のデッドハブの側のリンク部材とを前記リンクの変位方向にスライド自在に連結させている、請求項２記載の扉用の施解錠装置。
【請求項４】
前記第２の間欠動作部は、
前記第１のデッドハブの側のサブリンク部材に設けられ、当該サブリンク部材が前記リンクの変位方向に変位することによって当該変位方向と直交する方向に膨らむ円弧に沿って変位する原動節と、
前記第２のデッドハブの側のサブリンク部材に前記原動節をその位置に応じて前記リンクの変位方向に拘束及び非拘束自在に設けられ、解錠位置にある前記第１のデッドボルトを施錠動作させる前記第１のデッドハブの回転途中では前記原動節を拘束すると共に前記第１のデッドハブの回転終端位置では前記原動節を非拘束にする従動節と、
を備える、請求項１ないし３のいずれか一記載の扉用の施解錠装置。
【請求項５】
前記第２の間欠動作部は、前記原動節としてのピンを前記従動節に形成した溝に挿入した溝カムによって形成されている、請求項４記載の扉用の施解錠装置。
【請求項６】
前記溝カムの溝は、前記リンクの変位方向と直行する方向に延びて前記ピンを拘束する拘束溝と前記リンクの変位方向に延びて前記ピンを非拘束にする非拘束溝とを連絡させて形成されている、請求項５記載の扉用の施解錠装置。
【請求項７】
前記従動節は、前記リンクの変位方向と直行する方向に変位自在であり、前記原動節としてのピンが変位する円弧の膨らみ方向と反対方向に付勢されている、請求項４ないし６のいずれか一記載の扉用の施解錠装置。
【請求項８】
解錠位置にある前記第２のデッドボルトを施錠動作させる前記第２のデッドハブの回転初期領域に前記第２のデッドボルトを動作させない無反応領域を形成する第２の間欠機構と、
収納位置と出現して扉の枠体に引っ掛かる出現位置との間を変位自在のガードアームを有し、前記無反応領域での前記第２のデッドハブの施錠方向への回転に応じて前記ガードアームを前記収納位置から前記出現位置に変位させ解錠方向への回転に応じて前記ガードアームを前記出現位置から前記収納位置に変位させるガードロック機構と、
を備える請求項１ないし７のいずれか一記載の扉用の施解錠装置。
【発明の詳細な説明】
【技術分野】
【０００１】
本発明は、主錠と補助錠とを有する扉用の施解錠装置に関する。
【背景技術】
【０００２】
例えば住宅用扉用の施解錠装置として、一つの扉に二つの錠を装着したワンドア・ツーロック方式の施解錠装置が実用化されている。各錠は、室外側から操作するシリンダ錠と室内側から操作するサムターンとをそれぞれ有している。一般的には、一つの合鍵で二つのシリンダ錠の施解錠が可能である。
【０００３】
ワンドア・ツーロック方式の施解錠装置は、ピッキング等の不正解錠を困難にする点で極めて有効である。その反面、ワンロック方式の施解錠装置と比較して、正規の利用者にとっても各錠の施解錠に要する工程数が二倍となるので、操作が面倒である。このためか、利用者によっては、せっかくツーロック方式となっているのに一つの錠しか施錠しないという運用を採用してしまうこともある。このようなことから、一方の錠の施解錠操作に連動させてもう一方の錠を施解錠するようにした施解錠装置が提案されている。例えば、特許文献１は、扉用の施解錠装置ではなく引戸であるサッシの施解錠装置ではあるが、ワンドア・ツーロック方式の施解錠装置において、二つの錠の施解錠操作を相互に連動させるようにした施解錠装置を開示している。
【先行技術文献】
【特許文献】
【０００４】
【特許文献１】特開平１１−０１３３２３公報
【発明の概要】
【発明が解決しようとする課題】
【０００５】
特許文献１に記載されたような二つの錠の施解錠操作を相互に連動させる方式の施解錠装置を扉用の施解錠装置に単純に適用すると、一方の錠のシリンダ錠を室外側から解錠させるだけでもう一方の錠も解錠してしまう。これではワンドア・ツーロック方式にする意味が失われ、セキュリティ性が台無しになってしまう。
【０００６】
また、従来、例えばサムターンを少し回転させることでガードアームを出現させ、扉枠にガードアームを引っ掛けられるようにしたガードロック機構が実用化されている。このようなガードロック機構は、サムターンを少しだけ回転させた場合にはデッドボルトを出現させることなくガードアームを出現させ、扉枠に引っ掛かるガードアームの規制範囲内で扉を僅かに開けるようにする。しかしながら、二つの錠の施解錠操作を相互に連動させるようにしたワンドア・ツーロック方式の施解錠装置にガードロック機構を適用しようとすると、ガードロック機構を有する側の錠に設けられたサムターンの回転によってもう一方の錠のデッドボルトが出現してしまう。このため、扉を少しだけ開けることができるようにするというガードロック機構の動作が損なわれてしまうので、二つの錠の施解錠操作を相互に連動させるようにしたワンドア・ツーロック方式の施解錠装置にはガードロック機構を適用することができない。
【０００７】
本発明は、このような点に鑑みなされたもので、ワンドア・ツーロック方式を採用しながら、セキュリティ性を維持したまま正規の利用者の施錠のための操作手順を簡略化できるようにし、しかも、ガードロック機構の採用も視野に入れ得る扉用の施解錠装置を得ることを目的とする。
【課題を解決するための手段】
【０００８】
本発明の扉用の施解錠装置は、第１のシリンダ錠及び第１のサムターンに連係して回転する第１のデッドハブの回転運動を第１のデッドボルトに伝達して当該第１のデッドボルトを施解錠動作させる主錠と、前記主錠と垂直方向に並べられ、第２のシリンダ錠及び第２のサムターンに連係して回転する第２のデッドハブの回転運動を第２のデッドボルトに伝達して当該第２のデッドボルトを施解錠動作させる補助錠と、前記第１のデッドハブと前記第２のデッドハブとの間の回転伝達を上下方向に変位するリンクの直線運動を介して行なう動力伝達機構と、前記第１及び第２のデッドボルトが共に解錠位置にある状態から前記第１のデッドボルトを施錠動作させる前記第１のデッドハブの回転を前記第２のデッドハブに伝達するとともに、それ以外の前記第１及び第２のデッドボルトの状態では、前記第１のデッドハブと前記第２のデッドハブとの間の回転伝達を非伝達とする間欠機構と、を有する。
【発明の効果】
【０００９】
本発明によれば、主錠と補助錠とを非連動で解錠可能としながら解錠状態である主錠を施錠操作するだけで補助錠も施錠することができ、したがって、セキュリティ性を維持したまま正規の利用者の施錠のための操作手順を簡略化することができ、しかも、補助錠を主錠と非連動で施解錠することができ、したがって、ガードロック機構の採用を可能にすることができる。
【図面の簡単な説明】
【００１０】
【図１】実施の一形態として、主錠及び補助錠のサムターンの回転位置と共に、主錠及び補助錠が共に解錠位置にある状態を示す装置全体の側面図である。
【図２】（ａ）は第１のデッドハブ側のサブリンク部材を第２の間欠動作部の原動節と共に示す側面図、（ｂ）は第２のデッドハブ側のサブリンク部材を第２の間欠動作部の従動節と共に示す側面図である。
【図３】主錠及び補助錠のサムターンの回転位置と共に、主錠及び補助錠が共に解錠位置にある状態から主錠のサムターンを僅かに施錠方向に回転させた状態を示す装置全体の側面図である。
【図４】主錠及び補助錠のサムターンの回転位置と共に、主錠及び補助錠が共に解錠位置にある状態から主錠のサムターンを４５度だけ施錠方向に回転させた状態を示す装置全体の側面図である。
【図５】主錠及び補助錠のサムターンの回転位置と共に、主錠及び補助錠が共に解錠位置にある状態から主錠のサムターンを完全に施錠方向に回転させて主錠及び補助錠が共に施錠位置にある状態とした場合を示す装置全体の側面図である。
【図６】主錠及び補助錠のサムターンの回転位置と共に、主錠及び補助錠が共に施錠位置にある状態（図５参照）から主錠のサムターンを僅かに解錠方向に回転させた状態を示す装置全体の側面図である。
【図７】主錠及び補助錠のサムターンの回転位置と共に、主錠及び補助錠が共に施錠位置にある状態（図５参照）から主錠のサムターンを完全に解錠方向に回転させた状態を示す装置全体の側面図である。
【図８】主錠及び補助錠のサムターンの回転位置と共に、主錠及び補助錠が共に解錠位置にある状態（図１参照）から補助錠のサムターンを４５度だけ施錠方向に回転させてガードロック機構を使用状態にした状態を示す装置全体の側面図である。
【図９】主錠及び補助錠のサムターンの回転位置と共に、主錠及び補助錠が共に解錠位置にある状態（図１参照）から補助錠のサムターンを完全に施錠方向に回転させた状態を示す装置全体の側面図である。
【図１０】主錠及び補助錠のサムターンの回転位置と共に、主錠及び補助錠が共に施錠位置にある状態（図５参照）から補助錠のサムターンを４５度だけ解錠方向に回転させた状態を示す装置全体の側面図である。
【図１１】主錠及び補助錠のサムターンの回転位置と共に、主錠及び補助錠が共に施錠位置にある状態（図５参照）から補助錠のサムターンを完全に解錠方向に回転させた状態を示す装置全体の側面図である。
【図１２】主錠及び補助錠のサムターンの回転位置と共に、主錠及び補助錠が共に施錠位置にある状態（図５参照）から補助錠のサムターンを完全に解錠方向に回転させ、更に主錠を４５度だけ解錠方法に回転させた状態を示す装置全体の側面図である。
【発明を実施するための形態】
【００１１】
本実施の形態は、主錠１０１と補助錠２０１とを備えるワンドア・ツーロック方式の住宅扉用の施解錠装置１１への適用例である。以下、実施の一形態を図面に基づいて説明する。
【００１２】
図１は、主錠１０１及び補助錠２０１のサムターン（第１のサムターン１０２、第２のサムターン２０２）の回転位置と共に、主錠１０１及び補助錠２０１が共に解錠位置にある状態を示す装置全体の側面図である。本実施の形態の施解錠装置１１は、扉の戸先面（図示せず）に埋設されて使用される。施解錠装置１１は、主錠１０１と補助錠２０１とが分離された構造を有しており、これらの主錠１０１と補助錠２０１とを動力伝達機構３０１で連結している。主錠１０１は上方位置に、補助錠２０１は下方位置に、それぞれ垂直方向に並べられて配置されている。
【００１３】
主錠１０１は、戸先面と同一面となるようにして扉に取り付けられる第１のベースプレート１０３を備え、この第１のベースプレート１０３に第１のフレーム１０４を固定している。第１のベースプレート１０３と第１のフレーム１０４とには、各種の構造物が取り付けられている。これらの構造物として、第１のフレーム１０４には、第１のシリンダ錠（図示せず）及び第１のサムターン１０２に連係して回転する第１のデッドハブ１０５と、この第１のデッドハブ１０５に駆動される第１のデッドボルト１０６とが取り付けられている。
【００１４】
第１のデッドボルト１０６は、第１のベースプレート１０３から出没可能なようにスライド自在に取り付けられている。そのための構造として、第１のデッドボルト１０６にはそのスライド移動方向に長い第１の長孔１０７が形成され、この第１の長孔１０７に第１のフレーム１０４に立設された第１の位置決めピン１０８が嵌合している。そして、第１のデッドボルト１０６は、第１の長孔１０７と嵌合している第１の位置決めピン１０８と、第１のフレーム１０４とによって水平方向にスライド自在に支持されている。これにより、第１のデッドボルト１０６は、第１の位置決めピン１０８に位置を拘束されながら水平方向にスライド移動自在である。このような第１のデッドボルト１０６は、その上部に第１の凹部１１０を形成している。
【００１５】
第１のデッドハブ１０５は、第１のデッドボルト１０６のスライド移動方向と直交する方向の回転軸を中心に回転自在に取り付けられている。このような第１のデッドハブ１０５の回転軸の方向は、施解錠装置１１が装着される扉（図示せず）の厚み方向となる。第１のデッドハブ１０５は、第１のデッドボルト１０６の上部に形成された第１の凹部１１０に嵌り込む第１の駆動片１１１を放射方向に突出させている。そこで、第１のデッドハブ１０５の回転に応じて第１の駆動片１１１が変位し、この第１の駆動片１１１を第１の凹部１１０に嵌め込んでいる第１のデッドボルト１０６が第１のベースプレート１０３から出没するようにスライド移動する。
【００１６】
第１のデッドボルト１０６において、第１のベースプレート１０３から飛び出た位置は施錠位置であり、第１のベースプレート１０３に没した位置は解錠位置である。第１のサムターン１０２は、その摘み１０２ａを垂直向きにすると第１のデッドボルト１０６を解錠位置に位置付け（図１参照）、その位置から摘み１０２ａを時計方向に９０度回して水平向きにすると第１のデッドボルト１０６を施錠位置に位置付ける（図５参照）。この際、第１のサムターン１０２の回転角度と第１のデッドハブ１０５の回転角度とは一致する。したがって、第１のデッドボルト１０６は、第１のデッドハブ１０５を９０度回転させることによって施解錠される。
【００１７】
以上説明した主錠１０１は、更に、第１のベースプレート１０３にラッチボルト１１２を取り付けている。ラッチボルト１１２は、扉を開閉自在に取り付ける枠体（図示せず）に引っ掛けることができる掛け金であり、扉を閉状態に維持する。
【００１８】
補助錠２０１は、戸先面と同一面となるようにして扉に取り付けられる第２のベースプレート２０３を備え、この第２のベースプレート２０３に第２のフレーム２０４を固定している。第２のベースプレート２０３と第２のフレーム２０４とには、各種の構造物が取り付けられている。これらの構造物として、第２のフレーム２０４には、第２のシリンダ錠（図示せず）及び第２のサムターン２０２に連係して回転する第２のデッドハブ２０５と、この第２のデッドハブ２０５に駆動される第２のデッドボルト２０６とが取り付けられている。
【００１９】
第２のデッドボルト２０６は、第２のベースプレート２０３から出没可能なようにスライド自在に取り付けられている。そのための構造として、第２のデッドボルト２０６にはそのスライド移動方向に長い第２の長孔２０７が形成され、この第２の長孔２０７に第２のフレーム２０４に立設された第２の位置決めピン２０８が嵌合している。そして、第２のデッドボルト２０６は、第２のフレーム２０４によって水平方向にスライド自在に支持されている。これにより、第２のデッドボルト２０６は、第２の位置決めピン２０８に位置を拘束されながら水平方向にスライド移動自在である。このような第２のデッドボルト２０６は、その上部に第２の凹部２１０を形成している。
【００２０】
第２のデッドハブ２０５は、第２のデッドボルト２０６のスライド移動方向と直交する方向の軸を中心に回転自在に取り付けられている。このような第２のデッドハブ２０５の回転軸の方向は、施解錠装置１１が装着される扉（図示せず）の厚み方向となる。第２のデッドハブ２０５は、第２のデッドボルト２０６の上部に形成された第２の凹部２１０に嵌り込む第２の駆動片２１１を放射方向に突出させている。そこで、第２のデッドハブ２０５の回転に応じて第２の駆動片２１１が変位し、この第２の駆動片２１１を第２の凹部２１０に嵌め込んでいる第２のデッドボルト２０６が第２のベースプレート２０３から出没するようにスライド移動する。
【００２１】
第２のデッドボルト２０６において、第２のベースプレート２０３から飛び出た位置は施錠位置であり、第２のベースプレート２０３に没した位置は解錠位置である。第２のサムターン２０２は、その摘み２０２ａを垂直向きにすると第２のデッドボルト２０６を解錠位置に位置付け（図１参照）、その位置から摘み２０２ａを時計方向に９０度回して水平向きにすると第２のデッドボルト２０６を施錠位置に位置付ける（図５参照）。この際、第２のサムターン２０２の回転角度と第２のデッドハブ２０５の回転角度とは一致する。したがって、第２のデッドボルト２０６は、第２のデッドハブ２０５を９０度回転させることによって施解錠される。
【００２２】
ここで、主錠１０１においては、第１のデッドボルト１０６の第１の凹部１１０は、第１のデッドハブ１０５が有する第１の駆動片１１１を僅かな遊びをもって嵌合させている。これにより、第１のデッドボルト１０６は、第１のデッドハブ１０５の回転に僅かなタイムラグの後に呼応してスライド移動を開始する。
【００２３】
これに対して、補助錠２０１は、第２のデッドボルト２０６の第２の凹部２１０と第２のデッドハブ２０５が有する第２の駆動片２１１との間に第２の間欠機構２１２を形成している。第２の間欠機構２１２は、解錠位置にある第２のデッドボルト２０６を施錠動作させる第２のデッドハブ２０５の回転初期領域に第２のデッドボルト２０６を動作させない無反応領域を形成する。そのための構造として、第２の駆動片２１１は、第２のベースプレート２０３の方向に対面する一側面に出現側押圧面２１１ａを形成し、その他側面に没側押圧面２１１ｂを形成している。そして、第２の凹部２１０は、第２の駆動片２１１の出現側押圧面２１１ａに押される面に出現側受面２１０ａを形成し、第２の駆動片２１１の没側押圧面２１１ｂに押される面に没側受面２１０ｂを形成している。出現側受面２１０ａおよび没側受面２１０ｂは垂直に切り立っている。また、没側受面２１０ｂに連続して円弧面２１０ｃが第２の駆動片２１１の回転弧と同一半径の弧に沿って形成されている。そこで、第２のデッドボルト２０６は、没側押圧面２１１ｂにより没側受面２１０ｂが押されることで解錠位置までスライド移動し、出現側押圧面２１１ａに出現側受面２１０ａが押されることで施錠位置までスライド移動する。この際、第２の凹部２１０と連設する円弧面２１０ｃは第２の駆動片２１１の没側押圧面２１１ｂと同一半径の弧に沿って形成されているため、第２の駆動片２１１が回転し始めても、没側押圧面２１１ｂが円弧面２１０ｃを摺動している間は第２のデッドボルト２０６が駆動されない。第２のデッドボルト２０６は、第２の駆動片２１１の出現側押圧面２１１ａが第２の凹部２１０の出現側受面２１０ａに当接して初めて駆動される。こうして、解錠位置にある第２のデッドボルト２０６を施錠動作させる第２のデッドハブ２０５の回転初期領域に第２のデッドボルト２０６を動作させない無反応領域を形成することができる。
【００２４】
次いで、補助錠２０１は、ガードロック機構２１３を備えている。ガードロック機構２１３というのは、扉を開閉自在に取り付ける枠体（図示せず）に引っ掛かるガードアーム２１４を有し、第２の間欠機構２１２によって形成される無反応領域での第２のデッドハブ２０５の回転に応じて第２のデッドボルト２０６の施錠時の突出方向と同一方向にガードアーム２１４を出現させる機構である。
【００２５】
より詳細には、ガードアーム２１４は、扉の枠体に引っ掛かる連結ピン２１５が先端部に設けられた平板状部材であり、根元部分の端部はブロック状の基部２１６に固定されている。ガードアーム２１４の基部２１６は、第２のフレーム２０４に、第２のデッドハブ２０５の上方位置で第２のデッドハブ２０５の回転軸と平行な回転軸を中心に回転自在に取り付けられている。したがって、ガードアーム２１４は、基部２１６が回転することによって第２のベースプレート２０３から出没自在となっている。
【００２６】
このようなガードアーム２１４は、第２のベースプレート２０３の裏面側に形成された収納空間Ｓに収納され、第２のフレーム２０４に取り付けられた押圧体２１７に押されることによって回転し、第２のベースプレート２０３から出現する。説明の便宜上、収納空間Ｓに収納された押圧体２１７の位置を収納位置と呼ぶ。押圧体２１７は、第２のフレーム２０４において水平方向に移動自在に取り付けられており、第２のベースプレート２０３に向けて進退する。押圧体２１７を進退させる原動力は、第２のデッドハブ２０５の回転である。つまり、第２のデッドハブ２０５は、その回転軸を中心に回転するカム円板２１８を有しており、このカム円板２１８にはカム溝２１９が切られている。そして、このカム溝２１９には、押圧体２１７に設けられた従動ピン２２０が嵌合している。第２のデッドハブ２０５のカム溝２１９は、第２のデッドボルト２０６を解錠位置に位置付ける第２のデッドハブ２０５の回転位置において押圧体２１７を待機させ、その位置から第２のデッドハブ２０５が４５度回転した時点で押圧体２１７を第２のベースプレート２０３に向けて最大限進出させることができるカムプロフィールを有している（図４参照）。そして、カム溝２１９は、その一端が開口しており、４５度回転した位置から第２のデッドハブ２０５が更に回転した場合、その開口から押圧体２１７の従動ピン２２０を脱落させる。第２のデッドハブ２０５は、カム溝２１９から脱落した従動ピン２２０をカム円板２１８の外周面で位置決めし、４５度回転位置から最大回転範囲である９０度回転するまで押圧体２１７を最大進出位置に維持する（図５参照）。ガードアーム２１４は、押圧体２１７が最大限進出すると、連結ピン２１５が扉の枠体に引っ掛かる位置まで第２のベースプレート２０３から飛び出す。したがって、第２のデッドボルト２０６が解錠位置に位置する状態で第２のサムターン２０２を４５度回すと、連結ピン２１５が扉の枠体に引っ掛かる位置までガードアーム２１４を突出させることができる（図４参照）。
【００２７】
押圧体２１７は、その従動ピン２２０がカム溝２１９に沿って移動することから、第２のデッドハブ２０５の回転に従い進退する。そこで、第２のデッドボルト２０６を解錠位置に位置付ける位置まで第２のデッドハブ２０５を回転させれば、押圧体２１７を元の位置に復帰させることができる。ところが、押圧体２１７を元の位置に復帰させただけでは、ガードアーム２１４を収納空間Ｓに収納される収納位置に復帰させることができない。そこで、補助錠２０１は、押圧体２１７とガードアーム２１４の基部２１６とを復帰カム２２１で連動させている。つまり、復帰カム２２１は、基部２１６の回転軸と平行な回転軸を中心に回動自在に第２のフレーム２０４に取り付けられ、一端が押圧体２１７の後面に接して別の一端が基部２１６の下面に接するように設けられている。そこで、図１、図３〜図１２中、押圧体２１７にガードアーム２１４が押されることで基部２１６が時計方向に回転すると、基部２１６の下面に押されて復帰カム２２１も時計方向に回転し、復帰カム２２１は押圧体２１７の後面に対する接触状態を維持する。この状態で、押圧体２１７が元の位置に向けて復帰すると、復帰カム２２１は押圧体２１７の後面に押されて反時計方向に回転し、基部２１６を反時計方向に回転させる。これにより、押圧体２１７の復帰動作に従動させてガードアーム２１４を収納位置に復帰させることができる。
【００２８】
補助錠２０１は、更に、安全装置２２２を備えている。安全装置２２２は、施解錠装置１１が装着された扉（図示せず）が閉じられている場合にのみ主錠１０１及び補助錠２０１の施錠動作及びガードロック機構２１３の動作を可能とし、扉が開かれている場合にはそれらの動作をできないようにするための機構である。つまり、安全装置２２２は、扉開閉検出スイッチ２２３とデッドハブ回転規制部材２２４とを有している。扉開閉検出スイッチ２２３は、第２のベースプレート２０３に出没自在に取り付けられている。そして、扉開閉検出スイッチ２２３は、施解錠装置１１が装着される扉（図示せず）が開かれることで第２のベースプレート２０３から飛び出し、扉が閉じられると第２のベースプレート２０３に没するよう後退する。
【００２９】
デッドハブ回転規制部材２２４は、図示しないスプリングに付勢されて、図１、図３〜図１２中、時計方向に回転する。そして、第２のデッドハブ２０５のカム円板２１８から突出する規制ピン２２５にフック２２４ａを引っ掛け、第２のデッドハブ２０５の時計方向への回転、つまり、第２のデッドボルト２０６を施錠方向に駆動し、ガードロック機構２１３を動作させる方向への回転を規制する。この際、第２のデッドハブ２０５の時計方向への回転が規制されると、後に詳細を説明する動力伝達機構３０１によって補助錠２０１と連結された主錠１０１においても、第１のデッドボルト１０６を施錠方向に駆動する第１のデッドハブ１０５の回転も規制される。これに対して、デッドハブ回転規制部材２２４は、扉開閉検出スイッチ２２３の後面に当接する作用部２２４ｂを有しており、扉開閉検出スイッチ２２３の後退に伴い作用部２２４ｂが押されて反時計方向に回転する。すると、第２のデッドハブ２０５の規制ピン２２５からフック２２４ａが離脱し、第２のデッドハブ２０５の時計方向への回転規制が解除される。こうして、安全装置２２２は、施解錠装置１１が装着された扉（図示せず）が閉じられた場合、主錠１０１及び補助錠２０１の施錠動作及びガードロック機構２１３の動作を可能とする。
【００３０】
動力伝達機構３０１は、主錠１０１が有する第１のデッドハブ１０５と補助錠２０１が有する第２のデッドハブ２０５との間の回転伝達を、上下に変位するリンク３０２の直線運動を介して行なう。つまり、動力伝達機構３０１は、第１のデッドハブ１０５及び第２のデッドハブ２０５の回転運動をリンク３０２の直線運動に変換する。そこで、第１のデッドハブ１０５が回転するとリンク３０２が上下方向に変位し、このリンク３０２の上下方向の直線運動によって第２のデッドハブ２０５が回転駆動される。このため、理論上は、第２のデッドハブ２０５の回転もリンク３０２を介して第１のデッドハブ１０５に伝達されるはずであるのに対して、この方向の動力伝達は規制される。こうした規制を行なうのは、間欠機構３０３である。間欠機構３０３は、動力伝達機構３０１による回転伝達に回転伝達区間と回転非伝達区間とを選択的に生成する。より詳細には、間欠機構３０３は、第１のデッドボルト１０６及び第２のデッドボルト２０６が共に解錠位置にある状態（図１参照）から施錠方向への第１のデッドハブ１０５の回転を第２のデッドハブ２０５に伝達する場合の回転伝達については回転伝達区間を選択し、それ以外の条件の回転伝達については回転非伝達区間を選択する。以下、間欠機構３０３の説明と共に動力伝達機構３０１について詳細に説明する。
【００３１】
間欠機構３０３は、第１の間欠動作部３３１と第２の間欠動作部３５１とを有している。
【００３２】
第１の間欠動作部３３１は、リンク３０２を二つに分離する。分離された一方は第１のデッドハブ１０５に連動する第１のリンク部材３０２ａであり、もう一方は第２のデッドハブ２０５に連動する第２のリンク部材３０２ｂである。第１の間欠動作部３３１は、第１のリンク部材３０２ａと第２のリンク部材３０２ｂとをリンク３０２の変位方向である垂直方向に接離自在とし、一定の条件でのみ連動させる機構となっている。一定の条件というのは、
（条件１）
第１のデッドボルト１０６及び第２のデッドボルト２０６が共に解錠位置にある状態から第１のデッドボルト１０６を施錠動作させる第１のデッドハブ１０５の回転の際
（条件２）
第１のデッドボルト１０６及び第２のデッドボルト２０６が共に施錠位置にある状態から第２のデッドボルト２０６を解錠動作させる第２のデッドハブ２０５の回転の際
のいずれかの場合である。第１のリンク部材３０２ａと第２のリンク部材３０２ｂとが当接した状態においては、第１のリンク部材３０２ａと第２のリンク部材３０２ｂとの間で相互に動力伝達が可能となる。
【００３３】
第２の間欠動作部３５１は、第１のリンク部材３０２ａを更に二つに分離する。分離された一方は第１のデッドハブ１０５の側の第１のサブリンク部材３０２ａ−１であり、もう一方は第２のデッドハブ２０５の側の第２のサブリンク部材３０２ａ−２である。第２の間欠動作部３５１は、第１のサブリンク部材３０２ａ−１と第２のサブリンク部材３０２ａ−２とをリンク３０２の変位方向である垂直方向に接離自在とし、一定の条件でのみ当接させる。一定の条件というのは、第１のデッドボルト１０６を解錠から施錠動作させる第１のデッドハブ１０５の回転の際と、第１のデッドボルト１０６と第２のデッドボルト２０６が共に施錠位置にある状態から第１のデッドボルト１０６を解錠動作させる第１のデッドハブ１０５の回転の際である。第１のサブリンク部材３０２ａ−１と第２のサブリンク部材３０２ａ−２とが当接することによって、第１のサブリンク部材３０２ａ−１と第２のサブリンク部材３０２ａ−２との間で相互に動力伝達が可能となる。
【００３４】
これに対して、第２の間欠動作部３５１は、上記（条件２）では、第１のサブリンク部材３０２ａ−１と第２のサブリンク部材３０２ａ−２とを当接させない。このため、間欠機構３０３は、上記（条件１）の場合にのみ、換言すると、第１のデッドボルト１０６及び第２のデッドボルト２０６が共に解錠位置にある状態（図１参照）から第１のデッドハブ１０５が施錠方向に回転した場合にのみ、動力伝達機構３０１を介した第１のデッドハブ１０５と第２のデッドハブ２０５との間の回転を伝達し、それ以外の条件の回転伝達については回転を非伝達とすることになる。したがって、主錠１０１と補助錠２０１とが共に解錠状態にある条件で、主錠１０１を施錠した場合にのみ補助錠２０１も自動施錠されることになる。
【００３５】
以上説明したような機能を有する間欠機構３０３について、その構造をより詳細に説明する。
【００３６】
まず、第１の間欠動作部３３１の構造について説明する。
【００３７】
第１のリンク部材３０２ａは、第２のリンク部材３０２ｂにスライド自在に保持されている。つまり、第２のリンク部材３０２ｂは、側面から見るとコの字形状をした支持体３３２をその端部に備え、この支持体３３２で第１のリンク部材３０２ａの端部をスライド自在に保持している。第１のリンク部材３０２ａは、その端部に当接ピン３３３を有している。当接ピン３３３は、第１のリンク部材３０２ａの変位方向と直交する方向に延びている。第２のリンク部材３０２ｂの側の支持体３３２は、当接ピン３３３を当接させることができる当接面３３４を形成している。したがって、第１の間欠動作部３３１は、第１のリンク部材３０２ａと第２のリンク部材３０２ｂとを相互にスライド移動自在に連結し、当接面３３４に当接ピン３３３が当接する状態と当接面３３４から当接ピン３３３が離反する状態とを生成する。このような当接面３３４に対する当接ピン３３３の接離は、前述した第１のリンク部材３０２ａと第２のリンク部材３０２ｂとの間の接離をなす。
【００３８】
第２のリンク部材３０２ｂは、第１のリンク部材３０２ａとの連結側と反対側の端部において、ラックアンドピニオン機構３３５を介して第２のデッドハブ２０５と連結している。つまり、第２のリンク部材３０２ｂは、第１のリンク部材３０２ａとの連結側と反対側の端部に、第２のデッドハブ２０５と対面させてラック３３６を形成している。第２のデッドハブ２０５は、その外周面の一部にラック３３６に噛合するピニオン３３７を形成している。
【００３９】
次いで、第２の間欠動作部３５１の構造について、図２（ａ）、（ｂ）を参照しながら説明する。
【００４０】
図２（ａ）は、第１のデッドハブ１０５側の第１のサブリンク部材３０２ａ−１を第２の間欠動作部の原動節と共に示す側面図である。図２（ｂ）は、第２のデッドハブ２０５側の第２のサブリンク部材３０２ａ−２を第２の間欠動作部３５１の従動節と共に示す側面図である。
【００４１】
図２（ａ）に示すように、第１のリンク部材３０２ａが有する第１のサブリンク部材３０２ａ−１は、第１のデッドハブ１０５から放射方向に突出するレバー３５２にリンク片３５３の一端が回転自在に取り付けられ、このリンク片３５３の他端に連結片３５４が回転自在に取り付けられて形成されている。連結片３５４は、その中間部分をリンク片３５３に連結された平板状部材であり、両端に二つのピン３５５、３５６を立設している。これらのピン３５５、３５６の軸方向は、第１のデッドハブ１０５の回転軸の軸方向と同一方向である。そして、これらのピン３５５、３５６は、それぞれ異なる役割を担っている。これらの役割については後述する。このように構成された第１のリンク部材３０２ａ−１において、第１のデッドハブ１０５の回転に応じてレバー３５２が回転しながら上下に変位し、リンク片３５３を垂直方向に変位させる。この際、レバー３５２は、第１のデッドハブ１０５の回転中心を中心とする弧に沿って上下動するため、レバー３５２に連結しているリンク片３５３は、垂直方向に変位すると共に第１のベースプレート１０３に近接離反する方向に僅かに振れる。
【００４２】
図２（ｂ）に示すように、第１のリンク部材３０２ａが有する第２のサブリンク部材３０２ａ−２は、第１のフレーム１０４において、垂直方向にスライド自在に取り付けられている。そして、第２のサブリンク部材３０２ａ−２は、その上部に逆Ｌ字形状の溝３５８が形成されたカム板３５７を有している。カム板３５７は、水平方向に変位自在に取り付けられ、スプリングＳＰによって第１のベースプレート１０３に近接する方向に付勢されている。このようなカム板３５７は、その上辺に開口するピン溝３５９を有している。また、第１のサブリンク部材３０２ａ−１の連結片３５４に設けられている一方のピン３５５は第１のフレーム１０４に回転自在に保持されており、このピン３５５を避けるようにピン溝３５９が形成されている。第１のサブリンク部材３０２ａ−１の連結片３５４に設けられているもう一方のピン３５６は、カム板３５７に形成されている溝３５８に嵌合している。
【００４３】
したがって、カム板３５７に形成されている溝３５８とこの溝３５８に嵌合するピン３５６とは、ピン３５６を原動節としてカム板３５７を従動節とする溝カム３６０を形成している。そして、ピン３５６を設けた連結片３５４は、もう一つのピン３５５を第１のフレーム１０４に回転自在に嵌合させているので、リンク片３５３の上下動に応じ、ピン３５５を回転中心として回転する。これにより、カム板３５７に形成されている溝３５８に嵌合している原動節としてのピン３５６は、連結片３５４の回転中心となるピン３５５を中心とした円弧に沿って変位することになる。この場合の円弧は、垂直線に対して第１のベースプレート１０３から離反する方向に膨らむ軌跡を描く。
【００４４】
このように円弧に沿って変位する原動節としてのピン３５６を嵌合させる従動節側の溝３５８は、逆Ｌ字形状をなしているが故に、水平部分と垂直部分とを有している。水平部分は、原動節としてピン３５６を拘束する拘束溝３５８ａをなし、垂直部分は、原動節としてピン３５６を非拘束にする非拘束溝３５８ｂをなす。このようなピン３５６と溝３５８とによって形成される溝カム３６０は、解錠位置にある第１のデッドボルト１０６を施錠動作させる第１のデッドハブ１０５の回転途中ではピン３５６を拘束溝３５８ａに位置させて拘束すると共に、第１のデッドハブ１０５の回転終端位置ではピン３５６を非拘束溝３５８ｂに位置させて非拘束にするようなカムプロファイルを有している。
【００４５】
そして、第２のサブリンク部材３０２ａ−２において、第１のサブリンク部材３０２ａ−１と連結しないほうの端部は、前述したよう、第１のリンク部材３０２ａとして第２のリンク部材３０２ｂにスライド自在に連結している。
【００４６】
このような構成において、本実施の形態の施解錠装置１１は、所定の条件でのみ、主錠１０１を施錠操作すると補助錠２０１も自動的に施錠することができる。これを実現するのが、主錠１０１の第１のデッドボルト１０６を施解錠するための第１のデッドハブ１０５の回転を補助錠２０１の第２のデッドボルト２０６を施解錠するための第２のデッドハブ２０５に回転伝達するための動力伝達機構３０１である。そして、動力伝達機構３０１での動力伝達を所定の条件に限定するのが、間欠機構３０３である。表１は、主錠１０１と補助錠２０１との現在の状態とこの現在の状態からの状態遷移に際して、間欠機構３０３をなす第１の間欠動作部３３１と第２の間欠動作部３５１との回転伝達状態とこれに対応する主錠１０１と補助錠２０１との間の連動状態とを対応させて示している。表１は、これに合わせて、対応する図面の図番も表記している。
【００４７】
【表１】
2011094295.tif 000003
【００４８】
表１に示すように、主錠１０１の第１のデッドハブ１０５と補助錠２０１の第２のデッドハブ２０５とを動力伝達機構３０１を介して連動させることができるのは、主錠１０１と補助錠２０１とが共に解錠状態である場合に、主錠１０１を施錠操作した場合のみである。したがって、本実施の形態の施解錠装置１１は、
（１）主錠１０１を施錠操作すると補助錠２０１も自動的に施錠することができる。
（２）施錠されている主錠１０１、補助錠２０１を解錠する際には、両者非連動となる。
（３）補助錠２０１は主錠１０１と非連動で施解錠することができる。
という特徴を有している。以下、各図に基づいて作用効果を説明する。
【００４９】
図１は、表１中のパターン１の状態を示している。つまり、主錠１０１及び補助錠２０１とも解錠された状態にある。
【００５０】
図３は、主錠１０１及び補助錠２０１のサムターン（第１のサムターン１０２、第２のサムターン２０２）の回転位置と共に、主錠１０１及び補助錠２０１が共に解錠位置にある状態から主錠１０１の第１のサムターン１０２を僅かに施錠方向に回転させた状態を示す装置全体の側面図である。これにより、第１のデッドハブ１０５の第１の駆動片１１１は、第１の凹部１１０における嵌合遊び分だけ回転する。このため、第１のデッドボルト１０６は駆動させず、解錠状態を維持する。また、第１のデッドハブ１０５のレバー３５２は僅かに時計方向に回転し、第１のサブリンク部材３０２ａ−１をなすリンク片３５３を僅かに引き下げる。これにより、連結片３５４がピン３５５を中心に僅かに回転し、カム板３５７に形成されている溝３５８内でピン３５６を変位させる。これにより、ピン３５６が拘束溝３５８ａに入り込み、第２のリンク部材３０２ｂ−２を押し下げる準備が整う。
【００５１】
図４は、主錠１０１及び補助錠２０１のサムターン（第１のサムターン１０２、第２のサムターン２０２）の回転位置と共に、主錠１０１及び補助錠２０１が共に解錠位置にある状態から主錠１０１の第１のサムターン１０２を４５度だけ施錠方向に回転させた状態を示す装置全体の側面図である。第１のサムターン１０２を４５度まで回すと、第１のデッドハブ１０５も４５度回転する。すると、第１のデッドボルト１０６が第１の駆動片１１１に駆動されて施錠方向に変位する。但し、完全に施錠状態にはならない。また、第１のデッドハブ１０５が４５度回転すると、第１のサブリンク部材３０２ａ−１が更に引き下げられ、溝カム３６０において拘束溝３５８ａに入り込んでいたピン３５６が原動節となって従動節であるカム板３５７を下方に押し下げる。これにより、カム板３５７と一体的である第２のサブリンク部材３０２ａ−２も押し下げられる。
【００５２】
すると、第２のサブリンク部材３０２ａ−２、というよりもこの場合には第１のリンク部材３０２ａの端部に設けられている当接ピン３３３が第２のリンク部材３０２ｂに設けられている当接面３３４を押し下げる。これにより、第２のリンク部材３０２ｂの直線運動がラックアンドピニオン機構３３５によって回転運動に変換され、第２のデッドハブ２０５が回転駆動される。
【００５３】
この際、第２のデッドハブ２０５は４５度だけ回転する。このため、第２の駆動片２１１は第２の凹部２１０内を変位し、第２のデッドボルト２０６を駆動することがない。したがって、第２のデッドボルト２０６は解錠状態を維持する。
【００５４】
これに対して、第２のデッドハブ２０５の４５度の回転によって、ガードロック機構２１３が動作する。つまり、収納位置に位置するガードアーム２１４が第２のベースプレート２０３から飛び出し、施解錠装置１１が装着されている扉の枠体（図示せず）に引っ掛かる。このようなガードロック機構２１３の作用については、前述したとおりである。
【００５５】
図５は、主錠１０１及び補助錠２０１のサムターン（第１のサムターン１０２、第２のサムターン２０２）の回転位置と共に、主錠１０１及び補助錠２０１が共に解錠位置にある状態から主錠１０１の第１のサムターン１０２を完全に施錠方向に回転させて主錠１０１及び補助錠２０１が共に施錠位置にある状態とした場合を示す装置全体の側面図である。第１のサムターン１０２を９０度まで回すと、第１のデッドハブ１０５も９０度回転する。すると、第１のデッドボルト１０６が第１の駆動片１１１に駆動されて施錠方向に更に変位し、完全に施錠状態となる。また、第１のデッドハブ１０５が９０度回転すると、第１のサブリンク部材３０２ａ−１が更に引き下げられ、溝カム３６０において拘束溝３５７ａに入り込んでいたピン３５６が原動節となって従動節であるカム板３５７を更に下方に押し下げる。これにより、カム板３５７と一体的である第２のサブリンク部材３０２ａ−２も更に押し下げられる。
【００５６】
すると、第２のサブリンク部材３０２ａ−２、というよりもこの場合には第１のリンク部材３０２ａの端部に設けられている当接ピン３３３が第２のリンク部材３０２ｂに設けられている当接面３３４を更に押し下げる。これにより、第２のリンク部材３０２ｂの直線運動がラックアンドピニオン機構３３５によって回転運動に変換され、第２のデッドハブ２０５が４５度した位置から更に４５度回転駆動される。ここに至って、第２の駆動片２１１の出現側押圧面２１１ａが第２の凹部２１０の出現側受面２１０ａを押すことで第２のデッドボルト２０６が駆動され、第２のデッドボルト２０６は解錠状態から施錠状態に状態遷移する。
【００５７】
以上、図１、図３〜図５を参照して説明したように、主錠１０１及び補助錠２０１が共に解錠状態である場合には、主錠１０１を施錠させると補助錠２０１も自動的に施錠することができる。したがって、正規の利用者の施錠のための操作手順を簡略化することができる。
【００５８】
なお、第１のデッドハブ１０５が９０度回転した状態では、溝カム３６０において拘束溝３５８ａに入り込んでいたピン３５６は弧面を変位するので最終的に拘束溝３５８ａを外れ、非拘束溝３５８ｂに入り込む。
【００５９】
図６は、主錠１０１及び補助錠２０１のサムターン（第１のサムターン１０２、第２のサムターン２０２）の回転位置と共に、主錠１０１及び補助錠２０１が共に施錠位置にある状態（図５参照）から主錠１０１の第１のサムターン１０２を僅かに解錠方向に回転させた状態を示す装置全体の側面図である。これにより、第１のデッドハブ１０５の第１の駆動片１１１は、第１の凹部１１０における嵌合遊び分だけ回転する。このため、第１のデッドボルト１０６は駆動させず、施錠状態を維持する。また、第１のデッドハブ１０５のレバー３５２は僅かに反時計方向に回転し、第１のサブリンク部材３０２ａ−１をなすリンク片３５３を僅かに引き上げる。これにより、連結片３５４がピン３５５を中心に僅かに回転し、カム板３５７に形成されている溝３５８内でピン３５６を変位させる。この際、ピン３５６は拘束溝３５８ａに入り込んだ状態を維持し、第２のリンク部材３０２ｂ−２を押し上げる準備が整う。
【００６０】
図７は、主錠１０１及び補助錠２０１のサムターン（第１のサムターン１０２、第２のサムターン２０２）の回転位置と共に、主錠１０１及び補助錠２０１が共に施錠位置にある状態（図５参照）から主錠１０１の第１のサムターン１０２を完全に解錠方向に回転させた状態を示す装置全体の側面図である。第１のサムターン１０２を解錠位置まで９０度回すと、第１のデッドハブ１０５も９０度回転する。すると、第１のデッドボルト１０６が第１の駆動片１１１に駆動されて解錠方向に変位し、完全に解錠状態となる。
【００６１】
また、第１のデッドハブ１０５が９０度回転すると、第１のサブリンク部材３０２ａ−１が更に引き上げられ、溝カム３６０において拘束溝３５８ａに入り込んでいたピン３５６が原動節となって従動節であるカム板３５７を上方に押し上げる。これにより、カム板３５７と一体的である第２のサブリンク部材３０２ａ−２も押し上げられる。ところが、この場合、第１の間欠動作部３３１においては、第２のサブリンク部材３０２ａ−２、というよりもこの場合には第１のリンク部材３０２ａの端部に設けられている当接ピン３３３が第２のリンク部材３０２ｂに設けられている当接面３３４から離反するのみである。したがって、第１のデッドハブ１０５の回転は第１の間欠動作部３３１において非伝達状態となり、第２のデッドハブ２０５に伝達されない。
【００６２】
図８は、主錠１０１及び補助錠２０１のサムターン（第１のサムターン１０２、第２のサムターン２０２）の回転位置と共に、主錠１０１及び補助錠２０１が共に解錠位置にある状態（図１参照）から補助錠２０１の第２のサムターン２０２を４５度だけ施錠方向に回転させてガードロック機構２１３を使用状態にした状態を示す装置全体の側面図である。これにより、ガードロック機構２１３を使用状態にすることができる。この点については前述した通りなので、これ以上の説明は省略する。
【００６３】
これに対して、第２のサムターン２０２の回転に伴い第２のデッドハブ２０５も４５度だけ回転するわけであるが、この際、第２の駆動片２１１は第２の凹部２１０内を変位し、第２のデッドボルト２０６を駆動することがない。したがって、第２のデッドボルト２０６は解錠状態を維持する。
【００６４】
また、第２のデッドハブ２０５の４５度の回転はラックアンドピニオン機構３３５を介して第２のリンク部材３０２ｂに伝達され、第２のリンク部材３０２ｂを下方に変位させる。ところが、この際、第２のリンク部材３０２ｂに設けられている当接面３３４は、第１のリンク部材３０２ａの端部に設けられている当接ピン３３３から離反するのみである。したがって、第２のデッドハブ２０５の回転は第１の間欠動作部３３１において非伝達状態となり、第１のデッドハブ１０５に伝達されない。
【００６５】
図９は、主錠１０１及び補助錠２０１のサムターン（第１のサムターン１０２、第２のサムターン２０２）の回転位置と共に、主錠１０１及び補助錠２０１が共に解錠位置にある状態（図１参照）から補助錠２０１の第２のサムターン２０２を完全に施錠方向に回転させた状態を示す装置全体の側面図である。こうして第２のサムターン２０２を完全に施錠方向に回転させたとしても、ガードロック機構２１３は使用状態のまま維持される。この点については前述した通りなので、これ以上の説明は省略する。
【００６６】
これに対して、第２のサムターン２０２の回転に伴い第２のデッドハブ２０５が４５度回転した位置から更に４５度回転すると、第２の駆動片２１１の出現側押圧面２１１ａが第２の凹部２１０の出現側受面２１０ａを押すことで第２のデッドボルト２０６が駆動され、第２のデッドボルト２０６は解錠状態から施錠状態に状態遷移する。
【００６７】
また、第２のデッドハブ２０５の回転はラックアンドピニオン機構３３５を介して第２のリンク部材３０２ｂに伝達され、第２のリンク部材３０２ｂを下方に変位させる。ところが、この際、第２のリンク部材３０２ｂに設けられている当接面３３４は、第１のリンク部材３０２ａの端部に設けられている当接ピン３３３から更に離反するのみである。したがって、第２のデッドハブ２０５の回転は第１の間欠動作部３３１において非伝達状態となり、第１のデッドハブ１０５に伝達されない。
【００６８】
図１０は、主錠１０１及び補助錠２０１のサムターン（第１のサムターン１０２、第２のサムターン２０２）の回転位置と共に、主錠１０１及び補助錠２０１が共に施錠位置にある状態（図５参照）から補助錠２０１の第２のサムターン２０２を４５度だけ解錠方向に回転させた状態を示す装置全体の側面図である。これにより、第２のデッドハブ２０５が４５度回転すると、第２の駆動片２１１の没側押圧面２１１ｂが第２の凹部２１０の没側受面２１０ｂを押すことで第２のデッドボルト２０６が駆動され、第２のデッドボルト２０６は施錠状態から解錠状態に状態遷移する。
【００６９】
これに対して、第２のデッドハブ２０５の回転はラックアンドピニオン機構３３５を介して第２のリンク部材３０２ｂに伝達され、第２のリンク部材３０２ｂを上方に変位させる。この際、第２のリンク部材３０２ｂに設けられている当接面３３４は第１のリンク部材３０２ａの端部に設けられている当接ピン３３３に接しているので、第１のリンク部材３０２ａを押し上げる。ところが、第１のリンク部材３０２ａにおいては、第２のリンク部材３０２ｂによって押し上げられた第２のサブリンク部材３０２ａ−２と第１のサブリンク部材３０２ａ−１との間で、動力伝達がなされない。第１のデッドハブ１０５が施錠方向に９０度回転した状態では、溝カム３６０において拘束溝３５８ａに入り込んでいたピン３５６が拘束溝３５８ａを外れ、非拘束溝３５８ｂに入り込んでいるからである。したがって、第２のデッドハブ２０５の回転は第１のデッドハブ１０５に伝達されない。
【００７０】
図１１は、主錠１０１及び補助錠２０１のサムターン（第１のサムターン１０２、第２のサムターン２０２）の回転位置と共に、主錠１０１及び補助錠２０１が共に施錠位置にある状態（図５参照）から補助錠２０１の第２のサムターン２０２を完全に解錠方向に回転させた状態を示す装置全体の側面図である。これにより、第２のデッドハブ２０５が更に４５度回転し、第２の凹部２１０と連設する円弧面２１０ｃは第２の駆動片２１１の没側押圧面２１１ｂと同一半径の弧に沿って形成されているため、第２の駆動片２１１が回転しても、第２の駆動片２１１は円弧面２１０ｃを摺動し、デッドボルト２０６が駆動されない（無反応領域）。また、ガードアーム２１４が収納空間Ｓに収められる。
【００７１】
そして、第２のデッドハブ２０５の回転はラックアンドピニオン機構３３５を介して第２のリンク部材３０２ｂに伝達され、第２のリンク部材３０２ｂを更に上方に変位させる。この際、第２のリンク部材３０２ｂに設けられている当接面３３４は第１のリンク部材３０２ａの端部に設けられている当接ピン３３３に接しているので、第１のリンク部材３０２ａを更に押し上げる。ところが、第１のリンク部材３０２ａにおいては、第２のリンク部材３０２ｂによって押し上げられた第２のサブリンク部材３０２ａ−２と第１のサブリンク部材３０２ａ−１との間で、動力伝達がなされない。第１のデッドハブ１０５が施錠方向に９０度回転した状態では、溝カム３６０において拘束溝３５８ａに入り込んでいたピン３５６が拘束溝３５７ａを外れ、非拘束溝３５８ｂに入り込んでいるからである。したがって、第２のデッドハブ２０５の回転は第１のデッドハブ１０５に伝達されない。
【００７２】
図１２は、主錠１０１及び補助錠２０１のサムターン（第１のサムターン１０２、第２のサムターン２０２）の回転位置と共に、主錠１０１及び補助錠２０１が共に施錠位置にある状態（図５参照）から補助錠２０１の第２のサムターン２０２を完全に解錠方向に回転させ、更に主錠１０１を４５度だけ解錠方法に回転させた状態を示す装置全体の側面図である。これにより、第１のデッドハブ１０５の第１の駆動片１１１が第１の凹部１１０内を押し、第１のデッドボルト１０６を駆動する。これにより、第１のデッドボルト１０６は解錠方向に変位する。
【００７３】
また、第１のデッドハブ１０５のレバー３５２は反時計方向に回転し、第１のサブリンク部材３０２ａ−１をなすリンク片３５３を引き上げる。これにより、連結片３５４がピン３５５を中心に回転し、カム板３５７に形成されている溝３５８内でピン３５６を変位させる。この際、ピン３５６は非拘束溝３５８ｂに入り込んでいるので、スプリングＳＰによって第１のベースプレート１０３に近接する方向（図面左方向）に付勢されているカム板３５７は、ピン３５６の円弧の動きにより図面右方向に押圧されて移動し、ピン３５６の押圧がなくなれば図面左方向へ戻る。このときカム板３５７のピン溝３５９がピン３５５と干渉しているため、カム板３５７は上方向へは移動しない。このように、ピン３５６はカム板３５７及びこれに連結されている第２のリンク部材３０２ｂ−２を駆動せず、非拘束溝３５８ｂ内を移動する。したがって、第１のデッドハブ１０５の回転は第２のデッドハブ２０５に伝達されない。
【００７４】
以上説明したように、本実施の形態の施解錠装置１１は、主錠１０１を施錠操作すると補助錠２０１も自動的に施錠することができる。これに対して、施錠されている主錠１０１、補助錠２０１を解錠する際には、両者非連動とすることができる。したがって、セキュリティ性を維持したまま正規の利用者の施錠のための操作手順を簡略化することができる。しかも、補助錠２０１は主錠１０１と非連動で施解錠することができるので、ガードロック機構２１３の採用を可能にすることができる。
【符号の説明】
【００７５】
１０１  主錠
１０２  第１のサムターン
１０５  第１のデッドハブ
１０６  第１のデッドボルト
２０１  補助錠
２０２  第２のサムターン
２０５  第２のデッドハブ
２０６  第２のデッドボルト
２１２  第２の間欠機構
２１３  ガードロック機構
２１４  ガードアーム
３０１  動力伝達機構
３０２  リンク
３０２ａ  第１のリンク部材（第１のデッドハブの側のリンク部材）
３０２ｂ  第２のリンク部材（第２のデッドハブの側のリンク部材）
３０２ａ−１  第１のサブリンク部材（第１のデッドハブの側のサブリンク部材）
３０２ａ−２  第２のサブリンク部材（第２のデッドハブの側のサブリンク部材）
３０３  間欠機構
３３１  第１の間欠動作部
３５１  第２の間欠動作部
３５６  ピン（原動節）
３５７  カム板（従動節）
３５８  溝
３５８ａ  拘束溝
３５８ｂ  非拘束溝
３６０  溝カム
【図１】
2011094295.tif 000004
【図２】
2011094295.tif 000005
【図３】
2011094295.tif 000006
【図４】
2011094295.tif 000007
【図５】
2011094295.tif 000008
【図６】
2011094295.tif 000009
【図７】
2011094295.tif 000010
【図８】
2011094295.tif 000011
【図９】
2011094295.tif 000012
【図１０】
2011094295.tif 000013
【図１１】
2011094295.tif 000014
【図１２】
2011094295.tif 000015